(57)【要約】【課題】厚紙及び薄紙の原稿を読み取る過程で、搬送時に生じる画像の伸縮、ズレの発生を防止し、簡単な構成からなり、厚い本等を読み取る必要が生じた場合でもブックキャリア等へ容易に交換できる原稿読み取り搬送装置を提供し、さらに、この原稿読み取り搬送装置を備える画像形成装置を提供することを課題とする。【解決手段】原稿搬送経路の上面側にガイド１８を形成し原稿搬送ローラ方向に対し接離する方向で移動自在に従動コロ１４、１５を備えた原稿カバー１９が、原稿カバー１９の開閉支点軸２０が読み取り部側の側面を支持する側板の長穴４５又はＵ溝１３に収まり、側板の長穴４５又はＵ溝１３に対し交差し傾斜させた第１傾斜面を備えて原稿カバー１９の支点軸２０を支持したスライド手段２９を側板面と隣接させ、原稿カバー１９の支点軸２０をスライド手段２９の操作により上下に昇降させることを特徴とする【選択図】図４
2005136474.tif 000002
【特許請求の範囲】
【請求項１】
原稿搬送ローラとこれに従動回転する従動コロからなる搬送ローラ対で原稿を挟み搬送する搬送手段を原稿搬送方向でコンタクトガラスの前後に配置し、コンタクトガラス上を搬送しながら原稿の画像を読取る原稿読み取り部を備え、原稿搬送経路の上面側ガイドを形成し、原稿搬送ローラ方向に対し接離する方向で移動自在に従動コロを備えた原稿カバーが、原稿カバーの開閉支点軸が読み取り部側の側面を支持する側板の長穴又はＵ溝に収まり、側板の長穴又はＵ溝に対し交差し、傾斜させた第１傾斜面を備えて、原稿カバーの支点軸を支持したスライド手段を側板面と隣接させ、原稿カバーの支点軸をスライド手段の操作により上下に昇降させることを特徴とする原稿読み取り搬送装置。
【請求項２】
前記スライダ手段にて、原稿挿入方向側にも第１傾斜面の傾斜と同様の傾斜角を持つ第２傾斜面を形成し、原稿カバーにて設けてある搬送ガイド面高さを規制する規制板がスライダ手段の第２傾斜面上に接する構成とすることを特徴とする請求項に１記載の原稿読み取り搬送装置。
【請求項３】
前記原稿カバーの回転支点軸が側板のＵ溝に支持され、スライダ手段の第１傾斜面の形状をＵ溝とすることを特徴とする請求項１または２に記載の原稿読み取り搬送装置。
【請求項４】
前記スライダ手段の操作にて原稿カバーの位置を上下させた際、原稿カバーの開閉検知手段をスライダ手段の傾斜面上を滑りながら回転可能に設けることを特徴とする請求項２または３に記載の原稿読み取り搬送装置。
【請求項５】
前記原稿読み取り部に、第１の搬送ローラにより搬送された原稿の一部を読み取る第１の読み取り手段と、その下流に配設された第２の読み取り手段とを設け、第１の読み取り手段で読み取った画像データを遅延させて第２の読み取り手段で読み取った画像と合成する手段を設けることを特徴とする請求項１ないし４のいずれかに記載の原稿読み取り搬送装置。
【請求項６】
請求項１ないし５のいずれかに記載の原稿読み取り搬送装置を用いることを特徴とする画像形成装置。
【発明の詳細な説明】
【技術分野】
【０００１】
本発明は、複写機、スキャナー装置、ファクシミリ装置、等の画像形成装置において原稿の読み取りに用いる原稿読み取り搬送装置、この原稿読み取り搬送装置を備える画像形成装置に関する。
【背景技術】
【０００２】
原稿読み取り搬送装置に厚紙のシート原稿を搬送した際、搬送方向排紙側に配置した原稿排出搬送ローラに厚紙のシート原稿の先端が突入するときに原稿搬送速度が減速し、また搬送方向前側に配置した原稿挿入搬送ローラからシート原稿の後端が抜ける際に原稿搬送速度が加速される現象が生じる。このような現象が生じると、読み取った画像が伸縮するという不具合が生じる。このような不具合を避けるために、従動コロの材質を低発泡ゴムとした例があるが、搬送力の不足、低発泡ゴムの塑性変形等の理由で別の不具合が発生するとともに上述の不具合も完全には解決できないものとなっている。
この対策として、特許文献１では、原稿入口及び原稿出口の従動コロが、原稿厚さに対して互いにリンクして高さを可変させる構成としているが、従動コロ側の構成が複雑となり、加圧力の設定も互いの加圧力がリンクするため、圧のバラツキが増える問題がある。更に原稿上面のガイドに関しては、高さの変更が行われないため厚紙用に高さを広げていると、従動ローラはガイド板からの飛び出し量が多くなるため薄紙原稿の先端が上ガイド面に接しながら搬送されると、原稿先端が突き当たる事による搬送不良の恐れがある。
また、本発明とは課題が異なるが、特許文献２では、原稿上面側にある圧板ユニット内の原稿上面側をガイドするガイド面側の高さを、上下させる拡張手段にて搬送系路の高さを可変させる構成としているが、圧板側にぶら下がる形で従動ローラや読み取り部がガイド面側に支持された構成で、部品構成が複雑となりコスト的にも高い構成となる。
【０００３】
さらに、このようなある程度厚紙を考慮した装置は、本等の厚みがある物を読み取らせるブックキャリアユニットに容易に交換して装着することはできない。簡単に交換できる構成の場合は、従動コロの構成が上記低発砲ゴムを用いた物からなり、ガイド面の可変は行われないものである。このため厚紙で不具合が出てしまう際は、別途本などを搬送させるブックキャリアを用意する必要があり、ユーザーに対し必要以上のスペックを持ったものを購入させる必要が生じることになる。
【０００４】
【特許文献１】特開２００１−０４８３７４号公報
【特許文献２】特開２００１−２２００４４号公報
【発明の開示】
【発明が解決しようとする課題】
【０００５】
上記課題に鑑み、本発明は、厚紙及び薄紙の原稿を読み取る過程で、搬送時に生じる画像の伸縮、ズレの発生を防止し、簡単な構成からなり、厚い本等を読み取る必要が生じた場合でもブックキャリア等へ容易に交換できる原稿読み取り搬送装置を提供し、さらに、この原稿読み取り搬送装置を備える画像形成装置を提供することを課題とする。
【課題を解決するための手段】
【０００６】
上記課題を解決するために、請求項１に記載の本発明は、原稿搬送ローラとこれに従動回転する従動コロからなる搬送ローラ対で原稿を挟み搬送する搬送手段を原稿搬送方向でコンタクトガラスの前後に配置し、コンタクトガラス上を搬送しながら原稿の画像を読取る原稿読み取り部を備え、原稿搬送経路の上面側ガイドを形成し原稿搬送ローラ方向に対し接離する方向で移動自在に従動コロを備えた原稿カバーが、原稿カバーの開閉支点軸が読み取り部側の側面を支持する側板の長穴又はＵ溝に収まり、側板の長穴又はＵ溝に対し交差し傾斜させた第１傾斜面を備えて原稿カバーの支点軸を支持したスライド手段を側板面と隣接させ、原稿カバーの支点軸をスライド手段の操作により上下に昇降させることを特徴とする原稿読み取り搬送装置である。
請求項２に記載の本発明は、前記スライダ手段にて、原稿挿入方向側にも第１傾斜面の傾斜と同様の傾斜角を持つ第２傾斜面を形成し、原稿カバーにて設けてある搬送ガイド面高さを規制する規制板がスライダ手段の第２傾斜面上に接する構成とすることを特徴とする請求項に１記載の原稿読み取り搬送装置である。
【０００７】
請求項３に記載の本発明は、前記原稿カバーの回転支点軸が側板のＵ溝に支持され、スライダ手段の第１傾斜面の形状をＵ溝とすることを特徴とする請求項１または２に記載の原稿読み取り搬送装置である。
請求項４に記載の本発明は、前記スライダ手段の操作にて原稿カバーの位置を上下させた際、原稿カバーの開閉検知手段をスライダ手段の傾斜面上を滑りながら回転可能に設けることを特徴とする請求項２または３に記載の原稿読み取り搬送装置である。
請求項５に記載の本発明は、前記原稿読み取り部に、第１の搬送ローラにより搬送された原稿の一部を読み取る第１の読み取り手段と、その下流に配設された第２の読み取り手段とを設け、第１の読み取り手段で読み取った画像データを遅延させて第２の読み取り手段で読み取った画像と合成する手段を設けることを特徴とする請求項１ないし４のいずれかに記載の原稿読み取り搬送装置である。
請求項６に記載の本発明は、請求項１ないし５のいずれかに記載の原稿読み取り搬送装置を用いることを特徴とする画像形成装置である。
【発明の効果】
【０００８】
本発明を実施した原稿読み取り搬送装置により、原稿搬送ローラとこれに従動回転する従動コロからなる搬送ローラ対で原稿を挟み搬送する搬送手段を原稿搬送方向でコンタクトガラスの前後に配置し、コンタクトガラス上を搬送しながら原稿の画像を読取る読取装置で、原稿搬送経路の上面側ガイドを形成し原稿搬送ローラ方向に対し接離する方向で移動自在に従動コロを備えた原稿カバーが、原稿カバーの開閉支点軸が読取装置側の側面を支持する側板の長穴又はＵ溝に収まり、側板の長穴又はＵ溝に対し交差し傾斜させた第１傾斜面を備えて原稿カバーの支点軸を支持したスライド手段を側板面と隣接させ、原稿カバーの支点軸をスライド手段の操作により上下に昇降させることができるので、排紙側搬送ローラと従動コロへの原稿突入時の原稿搬送速度変動を無くし、画像伸びのない読み取り画像を得ることが可能となる。
また、スライダ手段にて、原稿挿入方向側にも第１傾斜面の傾斜と同様の傾斜角を持つ第２傾斜面を形成し、原稿カバーにて設けてある搬送ガイド面高さを規制する規制板が上記スライダ手段の第２傾斜面上に接する構成とし、スライド手段の傾斜に連動して原稿カバー全体の昇降量が変動するので、原稿厚みにあった原稿挿入搬送ローラに対する従動コロの間隔を連動して変化させることができるので、上記効果に加えて原稿挿入側搬送ローラと従動コロからの原稿排紙時の原稿搬送速度変動を無くし、画像縮みのない読み取り画像を得ることが可能となる。
【０００９】
また、原稿カバーの回転支点軸が側板のＵ溝に支持され、スライダ手段の第１傾斜面の形状をＵ溝としたことで、スライド手段の操作により原稿カバーの支点軸上側の押さえを開放するさせることが可能となり、原稿カバー容易に外すことが可能となる。
また、スライダ手段の操作にて原稿カバーの位置を上下させた際、原稿カバーの開閉検知手段をスライダ手段の傾斜面上を滑りながら回転可能に設けたため、スライダ手段にて昇降させた原稿カバーの高さに応じて開閉検知手段の高さの位置を変更でき、高さが変わっても開閉検知を確実に実施することが可能となる。
また、第１、第２の搬送ローラによる原稿の搬送速度を一定になるように回転駆動を制御することにより、原稿が第２の搬送ローラにくわえ込まれる前後での搬送速度変動による第１の読み取り手段と第２の読み取り手段の繋ぎ目の副走査方向ズレを防止でき高画質を得ることが可能となる。
また、原稿先端が第２の搬送ローラにくわえ込まれた時に、第１の搬送ローラの回転が第２の搬送ローラの回転駆動により連れ回りするように、第１の搬送ローラの駆動手段にクラッチ機構を具備したことにより、原稿後端が第１の搬送ローラから抜ける際の搬送速度変動による第１の読み取り手段と第２の読み取り手段の繋ぎ目の副走査方向ズレを防止でき高画質を得ることが可能となる。
さらに、この原稿読み取り搬送装置を備える画像形成装置を提供することが可能となる。
【発明を実施するための最良の形態】
【００１０】
以下に、本発明を実施するための最良の形態を図面に基づいて説明する。なお、以下の説明はこの発明の最良の形態の例であって、いわゆる当業者は特許請求の範囲内で、変更・修正をして他の実施形態をなすことは容易であり、以下の説明が特許請求の範囲を限定するものではない。
【００１１】
図１は本発明に係る原稿読み取り搬送装置の読み取り部及び搬送部についての平面図と側面図である。この装置は、図示のように通紙可能幅の外側に設けられた側板１に、コンタクトガラス２、密着センサ３、密着センサ３を保持するステー４からなる読み取り手段５と、原稿挿入搬送ローラ６、原稿排出搬送ローラ７、下ガイド板１０、１１が支持された原稿搬送下面ガイド手段１２と、対向する側には従動コロ１４、１５と圧板１６、圧板ガイド１７を保持し原稿上側のガイド面１８を形成した原稿カバー１９の支点軸２０を上記側板１のＵ溝１３に収めた原稿搬送上面ガイド手段２１と、原稿２２をセットする原稿テーブル２３と排紙された原稿２２を受ける排紙トレー２４と、原稿カバー１９の開閉を補助する開閉ストッパ２５を備えている。
読み取り対象となる原稿２２は、図示せぬ原稿搬送時の原稿左右端面を規制する幅ガイド手段にて原稿テーブル２３上にセットされている。原稿２２は図示せぬ駆動手段により図中の矢印方向に原稿挿入搬送ローラ６を回転させ、下ガイド板１０と原稿カバー１９のガイド面１８の間を定速で搬送される。搬送されながら読み取り手段５である密着センサ３にて画像信号を電気信号として取り出す。なおコンタクトガラス２を介した対向面側に設けた圧板１６は、原稿通紙可能幅外のコンタクトガラス２上に設けられた図示せぬスペーサ上に置かれる構成となっており、コンタクトガラス２と圧板１６との間にわずかな隙間を設けて薄紙等の紙詰まりを防止している。原稿２２は更に進み原稿排出搬送ローラ７の搬送力を受けながら下ガイド１１と原稿カバー１９のガイド面１８を定速で搬送され排紙トレー２４へと排紙される。
【００１２】
図２は原稿２２が搬送途中で停止した時やコンタクトガラス２の清掃時に原稿カバー１９を開いた状態の概略図である。原稿カバー１９は側板１のストッパ支点８に段付ネジ９にて固定されている原稿カバー開閉ストッパ２５に取り付いた圧縮スプリング２６が原稿カバー１９に取り付いているピン２７を押し上げる方向に伸びるため開放状態を維持している。逆に閉まった状態では圧縮スプリング２６がピン２７を下側に押し込む方向で力が働き、原稿カバー１９が容易に上側に逃げないようしている。一緒に持ち上がった従動コロ１４、１５と圧板１６は原稿カバー１９側に保持されているが、取り付け上、下側にはガタを持たせており、下側に対向する物が無い場合は若干位置が下がる状態になっている。
【００１３】
図３は、取り付け時の従動コロ１４、１５と原稿カバー１９の従動コロ保持長穴２８のガタを示す図である。通常使用時は従動コロ保持長穴２８の下側に従動コロ１４、１５が当たらないよう隙間Ｈ１を与えて搬送ローラ６、７と当接し、加圧力が確実に加わる様になっている。
【００１４】
図４、５は側板１に原稿カバー１９を昇降させるスライダ手段２９を取り付けた状態の原稿読み取り搬送装置の読み取り部及び搬送部の平面図と側面図である。スライド手段２９はスライド板３０、スライド補助板３２、ツマミネジ３６にて構成されている。側板１の通紙側にはスライド板３０を傾斜溝３１に側板１の支点軸２０を収めて置き、スライド板３０のスライド運動を補助するスライド補助板３２を、側板を挟み込む形で設けている。この時、スライド板３０とスライド補助板３２は図示しない段付ネジによりスライド板３０の固定穴３３（２箇所）に側板スライド長穴４５を通して段付きネジの段をはめ込んで締結され、側板１との間にはガタを少し持たせ、摺動時の負荷が大きくならないようにしている。そして原稿カバー１９開放側の側板曲げ面３４のスライド位置調整穴３５にスライド板３０とスライド補助板３２で挟みながらツマミネジ３６を上から固定している。原稿カバー１９の支点軸２０は、側板１のＵ溝１３にて搬送方向側を規制され、スライド板３０の傾斜溝３１にて上下方向を規制されているため、原稿カバー１９のガタツキを防止している。ライド手段２９による原稿カバー１９の昇降は、上記ツマミネジ３６の操作にて可能となっている。
図４は、原稿読み取り搬送装置の読み取り部及び搬送部の厚紙等を通紙しない通常使用の状態を示し、この位置で、原稿カバー１９の支点軸２０及び規制板３７はスライド板３０の傾斜溝３１と傾斜面３８の高さが低い位置に乗る形で高さ方向の位置が決められ、下ガイド板１０、１１と原稿カバーガイド面１８との隙間Ｈ２を確保されている。この高さは通常使用される厚紙以外の紙が搬送ローラ６、７と従動コロ１４、１５に容易にくわえ込まれる高さに設定してある。
【００１５】
図５は、厚紙対応時の原稿読み取り搬送装置の読み取り部及び搬送部の状態を示す図である。
厚紙対応時は、原稿カバー１９を開放状態とし、ツマミネジ３６を緩めツマミネジ３６を排紙側に押し込んでいくと、側板１の支点軸２０はスライド板３０の傾斜溝３１の坂を上る様に上側に上昇する。調整位置にてツマミネジ３６を締め、原稿カバー１９を閉めると原稿カバー１９の規制板３７はスライド板３０の傾斜面３８の高い位置上に着地する。  この状態が図５である。これにより下ガイド板１０、１１と原稿カバーガイド面１８との隙間Ｈ３がＨ２より拡大され、厚紙搬送時の搬送路高さを確保している。また、従動コロ１５は原稿排紙搬送ローラ７より離れる方向に移動するため、厚紙原稿先端が原稿排出搬送ローラ７に突入する際に生じる原稿搬送方向と反対の方向に作用する力が減少する。このため原稿の速度が減速されることなく画像の伸びがない読み取りができる。更に従動コロ１４は原稿挿入搬送ローラ６と離れる方向に移動するため原稿挿入搬送ローラ６から排出される際に生じる原稿搬送方向と同一方向に作用する力が減少する。このため原稿の速度が加速されることなく画像の縮みの無い読み取りができる。なお、上記原稿カバー１９の上昇により従動コロ１４、１５は原稿カバー１９の従動コロ保持長穴２８の下側に当たる状態で保持され隙間Ｈ４を形成しているが、調整された厚さの紙に対しては従動コロ１４、１５が保持穴２８の下側から離れ、加圧力を与えることとなる。
上記説明では、原稿挿入搬送ローラ６と原稿排出搬送ローラ７の両側を上げる構成とするためスライド板３０に傾斜溝３１と傾斜面３８を設けているが、原稿排出搬送ローラ側７の搬送力が高く、原稿挿入搬送ローラ６から抜ける際の問題が発生しない場合や許容できるレベルの場合は、スライド板３０の傾斜面３８を無くし、原稿挿入搬送ローラ６より従動コロ１４を離す動きをさせない構成としても良い。また、傾斜溝３１と傾斜面３８の角度を同一とせず変えることで、問題を発生させる作用のどちらかに重点を置く対応としても良い。
【００１６】
図６は、原稿読み取り搬送装置の読み取り部及び搬送部の原稿カバー１９を外すときの状態を示す図である。原稿カバー１９を開放状態で保持する原稿カバー開閉ストッパ２５は回転支点８が段付きネジ９で固定されているが、固定部はストッパガイド溝３９を段付きネジ９の段の部分に差し込むだけの構成のため、原稿カバー開閉ストッパ２５を容易に外すことができる。ちなみに圧縮スプリング２６の力はガイド溝３９の奥に段付きネジ９が収まる方向に力が働いているため開閉による抜け等は起こらない。原稿カバー１９を開けてツマミネジ３６を緩め、スライド手段２９を原稿挿入側に引いて側板１の支点軸２０よりスライド板３０の傾斜溝３１を外した状態とすることで、支点軸２０は側板１のＵ溝１３の開放方向への移動が可能となる。この後原稿カバー開閉ストッパのガイド溝を段付ネジの支点から抜くと原稿カバー全体は容易に取り外すことができる。このように容易に外せる構成のため、本などを搬送させるブックキャリアなどのユニットに容易に交換ができ、厚紙から更に厚い本までの対応を持たせることができる。なお、実施例においては原稿カバー１９を容易に外すことを想定して側板のＵ溝及びスライド板３０の傾斜溝３１をＵ溝形状としているが、特に容易に外すことが必要無い場合は長穴形状としても良い。
【００１７】
図７は、原稿カバー１９の開閉を検知させる検知手段４０の平面図と側面図である。検知手段４０は開閉検知センサ４１がセンサブラケット４２に取り付けてあり、側板面に図示しない段付きネジにて固定されている。このセンサブラケット４２は上面側の曲げ面である摺動面４３がスライド板３０の傾斜面３８に乗るように構成されている。原稿カバー１９が閉まっている状態でのスライド板３０の傾斜面３８と原稿カバー１９の規制板３７及び、原稿カバー１９の開閉検知リブ４４と開閉検知センサ４１との位置関係は図示のようになっており、原稿カバー１９を開けてスライド板３０の傾斜面３８が前後しても、傾斜に応じてセンサブラケット４２の摺動面４３がスライド板３０の傾斜面３８上を滑りセンサブラケット４２が支点４６を中心に回転することで開閉検知センサ４１の高さが傾斜面３８で変動させた昇降量に応じて変わり、原稿カバー１９を閉めた状態では規制板３７が傾斜面３８に当たり高さ方向を決めるため、開閉検知リブ４４が開閉検知センサ４１を確実に必要量押し込むことが可能となっている。
図８は、厚紙対応時の開閉検知の状態を示す図である。ツマミネジ３６を排紙側に押し込むと傾斜面３８上を摺動面４３が滑り、センサブラケット４２が支点４６を中心に回転することで、開閉検知センサ４１は厚紙以外の対応時のときと同様に、開閉検知リブ４４が開閉検知センサ４１を確実に必要量押し込むことが可能となっている。
【００１８】
図９は、本字実施例の原稿読み取り搬送装置の読み取り部の側面と上面の概略図である。第１ローラ５１によってコンタクトガラス５４と圧板６３の間に搬送された原稿の画像は、第１読み取りセンサ５３ａ、第２読み取りセンサ５３ｂによって読み取られ、第２ローラ５２によって排出される。
図１０は、各の読み取りセンサで分割読み取りされた画像の処理フローを示す図である。
第１読み取りセンサ５３ａで読み取った画像データは、Ａ／Ｄ変換回路でデジタル信号（２５６階調）変換され、次の遅延回路により所定時間一時的にメモリー内に格納される。その後、第２読み取りセンサ５３ｂで読み取った画像の出力に合わせて（第１読み取りからＴ時間後）読み取り画像は１ラインに合成され、下流の画像処理回路に送られる。
読み取り部に用いられる搬送ローラは、原稿が搬送されるときにシワが発生しないように、通常は第２搬送ローラ５２の径を第１搬送ローラ５１の径より若干大きくして、第２搬送ローラ５２の引っ張り効果によって、原稿面が常に張るように搬送させている。原稿６１が第２搬送ローラ５２にくわえ込まれるまでは径の小さい第１搬送ローラ５１のみで原稿６１が、搬送されるので原稿６１が第２搬送ローラ５２にくわえ込まれた後での搬送速度より遅い。
【００１９】
図１１は、搬送速度の差による読み取りセンサ繋ぎ目の副走査ズレを示す図である。
ここで、原稿６１が第２搬送ローラ５２にくわえ込まれるまでの距離は原稿先端のわずかな区間以外は第２搬送ローラ５２による搬送速度にあわせて、第１読み取りセンサ５３ａで読み取った画像データと第２読み取りセンサ５３ｂで読み取った画像とを合成するようにした場合、読み取りセンサ繋ぎ部において送り方向（副走査方向）に第１読み取りセンサ５３ａで読み取った画像が、図１１（ａ）に示すような搬送方向に先行したような画像ずれを生じることになる。そのズレ量は、例えば第２搬送ローラ５２の径φ３０．５、第１搬送ローラ５１の径φ３０、第１、第２読み取りセンサの副走査間隔Ｌ：３０ｍｍとすると（第２搬送ローラ５２の径が約０．１７％大きいことより）約５０μｍとなり６００ｄｐｉ（１ドット４２．３μｍ）の解像度で読み取った場合、１ライン強のズレとなる。
本実施例では、第１、第２搬送ローラ５１、５２の回転駆動を図示しない、制御手段により回転速度制御可能なステンピングモーター６６により、第１駆動プーリ６４、第２駆動プーリ６５とタイミングベルト６７を介して回転駆動する際に、原稿６１が第１ペーパ検知５９で検知され、第１、第２搬送ローラ５１、５２を回転開始して、第２ペーパ検知６０で原稿先端が検知され第２搬送ローラ５２に原稿６１がくわえ込まれるまでの間は第２搬送ローラ５２による搬送速度と同じになるように増速（例では０．１７％増速）して搬送させることにより原稿の搬送速度が常に一定になり、図１１（ａ）に示すような読み取りセンサ繋ぎ目の副走査ズレが防止でき高画質が得られる。
【００２０】
また、原稿後端が第１搬送ローラ５１より抜けるときは、上記のとおり第２搬送ローラ５２の引っ張り効果による原稿面のテンション力がなくなり、一瞬原稿の搬送速度が速くなって、図１１（ｂ）に示すように、今度は読み取りセンサ繋ぎ部において送り方向（副走査方向）に第１読み取りセンサ５３で読み取った画像が搬送方向に遅れたような画像ずれを生じることになる。
本実施例では、第１搬送ローラ５１の軸と第１ローラ駆動プーリ６４の勘合にワンウエイクラッチ６８を介して、原稿１１が第２搬送ローラ５２にくわえ込まれると第２搬送ローラ５２の回転速度が第１ローラ駆動プーリ６４の回転速度より速くなるため、第１搬送ローラ５１の軸と第１ローラ駆動プーリ６４の勘合がフリーになり、第１搬送ローラ５１は原稿６１によって第２搬送ローラ５２による連れ回りとなり、原稿面のテンションが第１搬送ローラ５１の慣性抵抗のみとなり、原稿後端が第１搬送ローラ５１より抜ける際の原稿面のテンション力による搬送速度変更が緩和され、図１１（ｂ）のような読み取りセンサ繋ぎ目の副走査ズレが防止でき高画質が得られる。
なお、本実施例では、クラッチ機構として比較的安価なワンウエイクラッチを用いたが、電磁クラッチ等によっても同様な効果を得られる。
また、本発明を実施した原稿読み取り搬送装置は、画像形成装置に用いることにより高品質の安定した画像を提供する。
【図面の簡単な説明】
【００２１】
【図１】本発明に係る原稿読み取り搬送装置の読み取り部及び搬送部についての平面図と側面図である。
【図２】原稿が搬送途中で停止した時やコンタクトガラスの清掃時に原稿カバーを開いた状態の概略図である。
【図３】原稿カバーの従動コロ保持長穴のガタを示す図である。
【図４】原稿読み取り搬送装置の読み取り部及び搬送部の通常使用の状態を示す図である。
【図５】厚紙対応時の原稿読み取り搬送装置の読み取り部及び搬送部の状態を示す図である。
【図６】原稿読み取り搬送装置の読み取り部及び搬送部の原稿カバーを外す状態を示す図である。
【図７】原稿カバーの開閉を検知させる検知手段の平面図と側面図である。
【図８】厚紙対応時の開閉検知の状態を示す図である。
【図９】本字実施例の原稿読み取り搬送装置の読み取り部の平面図と側面図である。
【図１０】読み取りセンサで分割読み取りされた画像の処理フローを示す図である。
【図１１】搬送速度の差による読み取りセンサ繋ぎ目の副走査ズレを示す図である。
【符号の説明】
【００２２】
１  側板
２  コンタクトガラス
３  密着センサ
４  ステー
５  読み取り手段
６  原稿挿入搬送ローラ
７  原稿排出搬送ローラ
８  ストッパ支点
９  段付ネジ
１０、１１  下ガイド板
１２  原稿搬送下面ガイド手段
１３  Ｕ溝
１４、１５  従動コロ
１６  圧板
１７  圧板ガイド
１８  ガイド面
１９  原稿カバー
２０  支点軸
２１  原稿搬送上面ガイド手段
２２  原稿
２３  原稿テーブル
２４  排紙トレー
２５  開閉ストッパ
２６  圧縮スプリング
２７  ピン
２８  従動コロ保持長穴
２９  スライド手段
３０  スライド板
３１  傾斜溝
３２  スライド補助板３２
３３  固定穴
３４  側板曲げ面
３５  スライド位置調整穴
３６  ツマミネジ
３７  規制板
３８  傾斜面
３９  ガイド溝
４０  検知手段
４１  開閉検知センサ
４２  センサブラケット
４３  摺動面
４４  開閉検知リブ
４５  側板スライド長穴
４６  支点
５１  第１ローラ
５２  第２ローラ
５３ａ  第１読み取りセンサ
５３ｂ  第２読み取りセンサ
５４  コンタクトガラス
５５  照明手段
５６  レンズ
５７  受光素子
５８  原稿テーブル
５９  第１ペーパー検知
６０  第２ペーパー検知
６１  原稿
６２  縮小レンズ
６３  圧板
６４  第１ローラ駆動プーリ
６５  第２ローラ駆動プーリ
６６  ステッピングモータ
６７  タイミングベルト
６８  ワンウエイクラッチ
【図１】
2005136474.tif 000003
【図２】
2005136474.tif 000004
【図３】
2005136474.tif 000005
【図４】
2005136474.tif 000006
【図５】
2005136474.tif 000007
【図６】
2005136474.tif 000008
【図７】
2005136474.tif 000009
【図８】
2005136474.tif 000010
【図９】
2005136474.tif 000011
【図１０】
2005136474.tif 000012
【図１１】
2005136474.tif 000013